(57)【特許請求の範囲】
【請求項１】
原稿を読み取って画像信号に変換する原稿読みとり装置と、用紙に印刷を行なう記録装置を有し、前記原稿読み取り装置と前記記録装置は電気的配線によって接続されている画像形成装置において、前記原稿読みとり装置と前記記録装置は少なくとも１つの回転支持部によって接続されて前記記録装置に対して前記原稿読み取り装置が回動する構成であり、前記回転支持部とは異なる位置に前記電気的配線を収容する配線収容手段を設け、前記配線収容手段は、前記画像形成装置の側部に設けられ、前記原稿読み取り装置と接続する第一の保護部材接続部のある端部から前部の開放側にある他の端部までに山型形状を有し、前記側部に前記山型形状に沿った壁を有して、前記原稿読み取り装置が開くように回動したときに前記前部と前記側部の開放側からの接触を防止する第一の保護部材と、前記回転支持部の近くで前記記録装置と接続する第二の保護部材接続部を端部に有し、前記回転支持部の側に壁を有して前記回転支持部への巻き込みを防止する第二の保護部材と、前記第一の保護部材の他の端部より内側に入った点で第二の保護部材の他の端部と連結する連結部とを有し、回動とともに折れ曲がる構成であり、前記電気的配線を前記山型形状の最も大きな空間を通して接続することを特徴とする画像形成装置。
【請求項２】
前記第一の保護部材の第一の保護部材接続部から他の端部までは、前記第二の保護部材の第二の保護部材接続部から他の端部までよりも長尺であることを特徴とする請求項１記載の画像形成装置。
【請求項３】
前記電気的配線のうち、前記原稿読み取り装置が有する駆動手段へ前記記録装置から電力を送信する電力系配線と、前記原稿読み取り装置から前記記録装置へ画像データを送信するデータ系配線が別経路であり、前記配線収容手段に収容される電気的配線は前記データ系配線であることを特徴とする請求項１、２のいずれかに記載の画像形成装置。
【発明の詳細な説明】
【技術分野】
【０００１】
本発明は、原稿読み取り装置と記録装置を有する画像形成装置に関するものである。
【背景技術】
【０００２】
装置本体をコンパクトにするために、記録装置の上部に原稿読み取り装置を有し、記録装置と原稿読み取り装置の間に印刷された用紙を排出する排出部を設けた画像形成装置が知られている。このような画像形成装置において、排出部に積載された用紙を取出しやすくするために、記録装置に対して原稿読み取り装置を開閉する機構を設けた例がある。（例えば特許文献１）
一般に、記録装置から原稿読み取り装置への電力供給と画像データの送受が行なわれるが、このような場合、原稿読み取り装置の支持部に配線を設けることが考えられる。
【０００３】
【特許文献１】特許第３４３３７４０号
【発明の開示】
【発明が解決しようとする課題】
【０００４】
原稿読み取り装置を開閉する際に、原稿読み取り装置と記録装置との間の配線を外側に飛び出す構成とすると、使用者は配線を触ることができ、不用意に接触することによる断線、短絡、データ化けなどが発生する場合がある。
【０００５】
また、配線が原稿読み取り装置と記録装置との間に内包された場合であっても、原稿読み取り装置の支持部に集中して配線され、断線や折れ、ノイズによるデータ化けの可能性があった。
【課題を解決するための手段】
【０００６】
原稿を読み取って画像信号に変換する原稿読みとり装置と用紙に印刷を行なう記録装置を有し、原稿読み取り装置と記録装置は電気的配線によって接続されている画像形成装置において、原稿読みとり装置と記録装置は少なくとも１つの回転支持部によって接続されて記録装置に対して原稿読み取り装置が回動する構成であり、回転支持部とは異なる位置に電気的配線を収容する配線収容手段を設けた画像形成装置とする。
【発明の効果】
【０００７】
本発明によれば、記録装置と原稿読み取り装置との配線を保護でき、データ化けを防止する画像形成装置を提供できる。
【発明を実施するための最良の形態】
【０００８】
以下、本発明の実施例について図を用いて説明する。
【０００９】
本発明を適用する画像形成装置の模式図を図１に示す。本実施例の画像形成装置は、記録装置１と原稿読み取り装置４に大別でき、複写機能，プリンタ機能などを有する一般に複合装置と呼ばれるものである。記録装置１は、一般的な電子写真方式を用いており、現像器よりトナーが供給され、帯電器によって帯電された感光体表面に現像される。現像されたトナーは、所定の電界が与えられ中間転写体もしくは用紙に転写される。さらに用紙に付着したトナーは定着器によって定着され、排紙ローラによって排紙トレイに送り出され、印刷画像となる。用紙は用紙カセットより供給され、印刷タイミングに従って給紙ローラを回転し、レジストローラへ供給し、印刷画像に合わせて転写ローラで転写する。
【００１０】
また原稿読み取り装置４は、透過台と原稿カバー５とに挟まれた原稿を、透過台に内包された原稿センサ（図示せず）によって読み取る構成である。原稿センサは光学式センサが用いられ、ライン状や面状の形状を用いる。もちろん点状センサを走査する方法を用いても良い。ライン状センサは走査することによって面状の画像（原稿）を読みとることができる。面状センサはＣＣＤセンサなどを用いても良い。以上のセンサを用い、画像サイズを変更する方法として、光学レンズもしくは画像処理回路を有する場合がある。
【００１１】
記録装置１と原稿読み取り装置４との接続は、支持台（ラック）を用いた配置もあるが、記録装置１に設けた支持部によって接続される。
本実施例の原稿読みとり装置４と記録装置１は、少なくとも１つ以上の回転支持部１２を軸として可動して、原稿読み取り装置４が回動するとともに、回転支持部１２と異なる位置に配線を収容する配線収容手段を有している。回転支持部１２を有することによって、記録装置１の消耗品交換、定期交換ユニットの交換、ジャム紙の排除などメンテナンスを行うときに、原稿読み取り装置１を回動することができる。このことによって、記録装置の上部の扉を開けることによって、交換，メンテナンスが可能となり、画像形成装置の操作性を向上している。本実施例では、回転支持部１２は図５に示すように記録装置１の側部付近に一対ずつ設けた構成であり、回転支持部１２付近に記録装置１からの用紙排出部を設けている。
【００１２】
原稿読み取り装置４は、記録装置１に対して支持手段たる支持レバー１１によって支えられ、メンテナンス中の原稿読み取り装置４の落下を防止している。本実施例では、配線収容手段が、回転支持部１２と支持レバー１１との間に配置されている。
本実施例においては、原稿読み取り装置４への配線として電力系配線７とデータ系配線８を少なくとも２系統以上に分離している。これにより電力系配線7に発生するノイズによって、データ系配線８を送信される画像データのデータ化けを防止することができる。原稿読み取り装置４には、原稿読み取り装置の読み取り制御部６が設けられており、記録装置１のコントローラ回路３との間に設けられたデータ系配線８によって画像データの送受信が行われる。さらにコントローラ部３によって生成された画像データをエンジン制御部２に送付し、現像器，帯電器，感光体等を有するエンジンにて用紙に印刷を行う。
配線収容手段は少なくとも２つ以上の部品で構成され、原稿読み取り装置４の回動とともに折れ曲がるように構成している。即ち、配線収容部は、原稿読み取り装置４が開いたときに開放部方向からの接触を防止する第一の保護部材９と、回転支持部１２への巻き込みを防止する第二の保護部材１０を有している。すくなくともこの２つ以上の部品を用いることにより、データ系配線８を折り曲げながら接続することができる。
【００１３】
以下、図２を用いて説明する。
第一の保護部材９は、原稿読み取り装置４との接続部２１と、記録装置１との接続部２７間のデータ系配線８を保護するために、長尺とする。特に開放側に壁３１を設けることで、原稿読み取り装置４を開いたときに、第一の保護部材９により開放側からデータ系配線８への接触を防ぐことができる。またデータ系配線８が開放側に飛び出るのを防ぐことができる。またガイド部２２を用いたことにより壁３１に沿って配線することができる。
【００１４】
また第二の保護部材１０は、第一の保護部材９に連結されている。その連結部２３は第一の保護部材９の端部３２ではなく、端部３２より内側に入った点で連結すると良い。例えば図２に示す「人」の字のように構成されることで、データ系配線８が開放側に飛び出るのを防ぐことができる。図４に示すように端部３２が第二の保護部材１０の回転支持部２７に近づくことによってデータ系配線８を保護できる。
【００１５】
さらに第二の保護部材１０の壁２５を回転支持部１２側に置くことで、データ系配線８が回転支持部１２に挟まれることを防止する。また、壁２５と壁２６によって、データ系配線８を第二の保護部在１０内に収めておくことができる。さらに第一の保護部材９と第二の保護部材１０の連結部分は、図４に示すように伸びたときに箱形状の空間を提供出来る。また屈曲したときに図３に示すように箱形状が開かれることでデータ系配線８の屈曲部に大きな半径を提供でき、配線の損傷を防止できる。
第一の保護部材９は、原稿読み取り装置４側に接続される。一般に配線部への接触は上方からのアクセスになることと、上方からの埃などの汚れを防止する効果を有する。
【００１６】
原稿読み取り装置４への配線のうち、駆動手段の電力系配線7と、画像データを送受するデータ系配線８を別経路とする。また配線収容手段を用いた配線は、画像データを通信するデータ系配線８である。なぜなら回転支持部１２周辺には電力系配線7を置き、太い配線が大きく伸縮、屈曲することが無いようにするためである。
【００１７】
データ系配線８は、平面状配線を用いる場合がある。データの送受には少電流でできるため、配線を細くできる。そのため伸縮、屈曲に対して強く、原稿読み取り装置４と記録装置１の内包に配置される配線には、最適である。一方、電力系配線７に平面状配線を用いても良いが、原稿読み取り装置４の駆動装置であるモータ（図示せず）にステッピングモータを用いる場合が多く、電流も多いため、平面状配線を用いない場合が多い。
【００１８】
本発明の実施例は、記録装置１として電子写真装置を例に説明したが、インクジェット方式、熱転写方式などを含むプリンタいずれの場合でも可能である。従って、これと原稿読み取り装置を組み合わせた複合装置において適用することができる。
【００１９】
また配線収容部材は２部品を用いた場合について説明しているが、３部品以上を用いても良い。
【図面の簡単な説明】
【００２０】
【図１】本発明の実施例である画像形成装置の模式図である。
【図２】本発明の実施例である配線収容手段の模式図である。
【図３】配線収容手段を折り曲げた模式図である。
【図４】配線収容手段を伸ばした状態の模式図である。
【図５】配線収容手段付近の斜視図である。
【符号の説明】
【００２１】
１…記録装置、２…エンジン制御部、３…コントローラ部、４…原稿読み取り装置、５…原稿カバー、６…読み取り制御部、７…電力系配線、８…データ系配線、９…第一の保護部材、１０…第二の保護部材、１１…支持レバー、１２…回転支持部。
【図１】
0004644069.tif 000002
【図２】
0004644069.tif 000003
【図３】
0004644069.tif 000004
【図４】
0004644069.tif 000005
【図５】
0004644069.tif 000006